(57)【要約】      （修正有）【課題】使用者の椎骨を支え、姿勢を矯正したり、痛みを緩和することができるような改良された携帯用の座席と背もたれのクッションを提供する。【解決手段】姿勢矯正用の携帯用の座席と背もたれのクッションである。この装置はインフレータブルブレダーまたはフォームの詰め物を使用し、背もたれは折りたたみができる形で座席部分と接続されている。使用者によって調節が可能な体を支える部分は背もたれの中に設置されている。使用者によって調節が可能な体を支える部分は、個別に調節が可能な複数の気泡が垂直に設置されているインフレータブルブレダーまたは、異なる場所に任意に設置が可能な半硬性の詰め物から構成される。【選択図】図１Ａ
2022002681.tif 000002
【特許請求の範囲】
【請求項１】
姿勢矯正用の携帯用の座席とクッションの背もたれで以下から構成されるもの
インフレータブルブレダーまたはフォームの詰め物で構成される座席の部材
座席の部材のエッジに沿って取り付けられる折り畳み式の背もたれ
背もたれの中に設置されている使用者に応じてカスタマイズが可能な脊椎を支える部材。
この脊椎を支える部材は以下から構成される。
背もたれの部分の中央付近に椎骨を支える複数の気泡が垂直に設置され、その各気泡の圧
力を個別に調節することができるものから構成される、インフレータブルブレダー
椎骨を支える節を任意の場所に設置することができる半硬性の詰め物
【請求項２】
請求項1の携帯用の座席とクッションの背もたれで、座席の部材が上部の表面と下部の表
面で構成され、その両面が滑り止めの素材でできているもの。
【請求項３】
請求項1の携帯用の座席と背もたれのクッションで、座席の部材がショア硬さがショア 00
20 からショア D 40のフォームの詰め物で構成されているもの。
【請求項４】
請求項1の携帯用の座席と背もたれのクッションで、インフレータブルブレダー内に設置
されたマニホールドと、椎骨を支える複数の気泡のインフレーション圧力をコントロール
するための複数の弁から構成されるもの。
【請求項５】
請求項4の携帯用の座席とクッションの背もたれで、マニホールドと脱着可能な状態で接
続されているエアポンプからなるもの。
【請求項６】
請求項1の携帯用の座席とクッションの背もたれで、椎骨を支える複数の気泡が、高分子
材料で構成されるもの。
【請求項７】
請求項1の携帯用の座席とクッションの背もたれで、椎骨を支える複数の気泡の少なくと
も一つが、人間の骨盤や仙骨を支えるように位置しているもの。
【請求項８】
請求項1の携帯用の座席とクッションの背もたれで、椎骨を支える複数の気泡の少なくと
も一つが、人間の脊柱の腰椎にある一つまたは複数の脊椎骨を支えるように位置している
もの。
【請求項９】
請求項1の携帯用の座席とクッションの背もたれで、椎骨を支える複数の気泡の少なくと
も一つが、人間の脊柱の胸椎にある一つまたは複数の脊椎骨を支えるように位置している
もの。
【請求項１０】
請求項1の携帯用の座席とクッションの背もたれで、半硬性の詰め物と節のショア硬さが
ショア 00 20 からショア D 40であるもの。
【請求項１１】
請求項1の携帯用の座席とクッションの背もたれで、半硬性の詰め物の長さが約12から24
インチで、幅は約0.5から2インチ、奥行きは約1から12インチであるもの。
【請求項１２】
請求項1の携帯用の座席とクッションの背もたれで、半硬性の詰め物と、丸みを帯びた上
部表面と詰め物を固定する下部の表面からなる節から構成されるもの。
【請求項１３】
請求項12の携帯用の座席とクッションの背もたれで、 各節はおおよそ半球形状になって
おり、直径が約 0.75 から 1インチ、高さは最大で約 0.25 から 1インチであるもの
【請求項１４】
請求項12の携帯用の座席とクッションの背もたれで、 当該節をしっかりと固定するため
の感圧接着剤または面ファスナーで節が構成されているもの。
【請求項１５】
請求項1の携帯用の座席とクッションの背もたれで、半硬性の詰め物がおおよそ楕円形の
もの。
【請求項１６】
請求項1の携帯用の座席とクッションの背もたれで、半硬性の詰め物が近位端から遠位端
までテーパー状になっているもの。
【発明の詳細な説明】
【技術分野】
【０００１】
発明の背景
発明の分野
本発明は姿勢を改善するための携帯用の座席と背もたれのクッションで、使用者にかかる
負担を軽減できるものである。具体的には使用者の仙骨および腰部を支える携帯用の座席
と背もたれのクッションであり、様々な椅子や座席と共に多種多様な使用方法が存在する
ものである。
【背景技術】
【０００２】
先行技術の詳細
インフレータブル（膨らませることができる）クッションやフォームクッションの使用に
ついてはすでに知られている。従来のクッションはそれぞれのインフレータブルクッショ
ンの特定の使用方法に応じて提供されている。こうしたクッションの例は、米国特許 5,9
11,657号、 8,740,303号、 6,929,325号、4,761,011号で紹介されている。しかしながら
、従来のクッションは携帯性に欠け、また個々の椎骨を支えるための適切な調整機能が欠
けている。
【０００３】
従って、使用者の椎骨を支え、例えば姿勢を矯正したり、痛みを緩和することができるよ
うな改良された携帯用の座席と背もたれのクッションを提供することが望ましい。
【発明の概要】
【０００４】
要約
この携帯用の座席のクッションは、人間工学に基づき、個人に合わせて骨盤、腰部、胸部
を支えることができるものである。
ある実施形態では、座席のクッションは座席部分と背もたれ部分から構成され、それぞれ
が柔軟に接続されるものである。別の実施形態では、座席の部材はインフレータブルブレ
ダーやフォームクッションを含み、背もたれの部分は、背もたれ内部に設置された体を支
える部材を含む。この体を支える部材は使用者に応じてカスタマイズが可能であり、 背
もたれの部分の中央付近に椎骨を支える複数の気泡が垂直に設置され、その各気泡の圧力
を個別に調節することができるものから構成されるインフレータブルブレダー、または椎
骨を支える節を任意の場所に設置することができる半硬性の詰め物を含む。椎骨を支える
各気泡の圧力は個別に調節することができる。同様に、背もたれ用のフォームの詰め物は
、各使用者に応じて任意の場所に設置することができる椎骨を支える節を含む。
【図面の簡単な説明】
【０００５】
図の簡単な説明
詳細については添付の図面を参照している。同じ参照番号は同様の部分または同一の部分
を示している。様々な実施形態においては、図面に記されているもの以外の要素や構成部
品を使用していることがあり、また実施形態によっては図面に記されている要素や構成部
品を使用しないものもある。図の要素や構成部品は必ずしも一定のサイズであるとは限ら
ないことに留意をいただきたい。
【図１Ａ】本開示の実施形態における座席と背もたれのクッションの透視図である。
【図１Ｂ】図1Aで示した座席と背もたれのクッションの透視図とその一部の透視図である。ここでは半硬性の詰め物またはインフレータブルブレダーが背もたれの部分の内部に設置されている。
【図２】図2Aは、半硬性の詰め物を使用した本発明の実施形態の側面図である。図2Bは、図2Aで示した半硬性の詰め物を使用した本発明の実施形態の平面図であり、ここでは脊椎を支える節が使用されている。図2Cは、楕円形の半硬性の詰め物を使用した本発明の実施形態の側面図であり、ここでは本発明の開示に基づき、脊椎を支える節が使用されている。図2Dは、本発明の開示に基づいた、テーパー状の半硬性の詰め物を使用した本発明の実施形態の側面図である。
【図３ＡＢＣ】図3Aは、本発明の開示に基づき、脊椎を支える複数の気泡を備えたインフレータブルブレダーの平面図である。図3Bは、図3Aで示した脊椎を支える複数の気泡を備えたインフレータブルブレダーの詰め物の断面図である。図3Cは、図3Aで示したインフレータブルブレダーの詰め物の背面図である。
【図３Ｄ】図3Bで示したインフレータブルブレダーの詰め物の断面図であり、バルブの開閉位置を示したものである。
【発明を実施するための形態】
【０００６】
発明の詳細
本発明は、人間工学に基づき、使用者個人に合わせて骨盤、腰部、胸部を支えることがで
きる携帯用の座席のクッションに関するものである。ある実施形態では、この携帯用の座
席のクッションは携帯用の座席と背もたれのクッションであり、次の要素から成り立つも
のである。(i) 座席の部材はインフレータブルブレダーやフォームクッション、 (ii) 座
席の部材のエッジに沿って取り付けられる折り畳み式の背もたれ、(iii)背もたれの中に
設置されている使用者に応じてカスタマイズが可能な脊椎を支える部材で、この脊椎を支
える部材が(a) 背もたれの部分の中央付近に椎骨を支える複数の気泡が垂直に設置され、
その各気泡の圧力を個別に調節することができるものから構成される、インフレータブル
ブレダー (b) 椎骨を支える節を任意の場所に設置することができる半硬性の詰め物で構
成されるもの。
【０００７】
座席のクッションは携帯性に優れているほか、使用者に応じて脊椎を支えるように調整す
ることが可能である。使用の際は使用者のニーズに合わせて支える部分の形状、位置、硬
さを調節することが可能である。使用者に応じて骨盤、腰椎、胸椎（その他の椎骨を含む
）の部位などの体を支えるポイント調整が可能であることから、使用者の痛みを緩和した
り、姿勢を矯正するなどの個別のニーズに応えることが可能である。また、このクッショ
ンは長時間座ることで生じる痛みを緩和することもできる。
【０００８】
この座席のクッションは、座席と背もたれの部位から構成される。ある実施形態では、座
席部分と背もたれ部分がそれぞれがエッジに沿って互いに折り畳めるように接続されてい
るものもある。折り畳めることにより、コンパクトに輸送・保管をすることが可能になる
。この座席部分と背もたれ部分は様々な異なる方法で接続することができる。例えばこれ
らの部位のカバーは一つにつながっていてもよく（例、同じ生地を共有する形で）、また
ストラップや、結び目や、ジッパーや、面ファスナーや、これらの組み合わせでつなげる
ことも可能である。
【０００９】
ある実施形態においては、使用者に応じてカスタマイズが可能な脊椎を支える部材が、背
もたれの中に設置されているものもある。この使用者に応じてカスタマイズが可能な体を
支える部分は様々な形態が考えられる。例えば、椎骨を支える複数の気泡が垂直に設置さ
れたインフレータブルブレダーや、節を備えた半硬性の詰め物などがある。使用者のニー
ズに合わせて体を支える気泡や節の位置や硬さを調節することが可能である
【００１０】
ある実施形態では、座席と背もたれの部位には、柔らかいカバーが使用され、このカバー
にはクッションと体を支える構造が含まれているものがある。このカバーにはクッション
や体を支える構造を収納するためのスペースがあり、そこにアクセスするための開閉部を
備えている。 この開閉部は一つまたは複数のストラップや、結び目や、ジッパーや、面
ファスナーなどが含まれる。別の実施形態では、このカバーは織物または不織布（例えば
、ナイロン）、ポリマーシート（例えば、ビニール）、もしくは当該技術分野で既知の素
材など、滑りにくい素材が使用される。
【００１１】
座席と背もたれの部位には、体を支えるクッションとしてインフレータブルブレダーまた
はフォームの詰め物を含む。
【００１２】
別の実施形態では、インフレータブルブレダーには、背もたれの部分の中央付近に椎骨を
支える複数の気泡が垂直に設置されたものを含む。これはクッションに座っている使用者
の脊椎（背骨）の場所におおよそ対応するものである。別の実施形態では、その体を支え
る各気泡の圧力を個別に調節することができるものがある。別の実施形態では、その体を
支える各気泡が密封されて調節できないものもある。別の実施形態では、その体を支える
気泡の集まり（例、気泡が整列しているものなど）が連絡通路で連結されており、気圧を
共有するものもある。このインフレータブルブレダーには少なくとも一つの弁が備えられ
ており、外部からの空気の吸入およびインフレータブルブレダーからの排出に使用される
。このような弁はすでに当該技術分野では既知のものである。別の実施形態では、各気泡
にそれぞれ弁が備えられており、使用者の椎骨を支えるための所望の硬さになるように、
それぞれが別個に気圧を調整できるものもある。別の実施形態では、このインフレーター
ブレダーが背もたれの部分に位置し、少なくとも一つの体を支える気泡が背もたれの部分
で骨盤や仙骨を支える。別の実施形態では、この体を支える気泡が、人の腰部の脊椎の少
なくとも一つの椎骨を支えるように構成されている。別の実施形態では、この体を支える
気泡が、人の脊椎の少なくとも一つの胸椎を支えるように構成されている。
【００１３】
別の実施形態では、インフレーターブレダーの代わりにフォームの詰め物が体を支えるた
めに背もたれ部分に使用される。 望ましい形態としては、このフォームの詰め物に体を
支えるための節が取り付けられているものがある。この節は、この詰め物の表面に脱着が
可能であり、いくらでも位置を変更することができる。そのため使用者の特定のニーズに
合わせて何度でも位置を変えることができるものである。 この節をしっかりと固定する
ために、例えば感圧接着剤または面ファスナーで詰め物に固定することが可能である。こ
の体を支える節は、平面図で見ると円形、楕円形、半円形の形状であり、断面図でみると
球冠状もしくはそれいがいの丸みを帯びた形状であり、背面が平面になっており詰め物
を固定することができる。ある実施形態では、各節は直径が約 0.75 から 1インチ、高さ
（厚み）は最大で約 0.25 から 1インチである。ある実施形態では、詰め物のショア硬さ
がショア 00 20 からショア D 40のフォームの詰め物で構成されている。ある実施形態で
は、背もたれの部分に半硬性の詰め物を含み、その詰め物や体を支える節のショア硬さが
ショア 00 20 からショア D 40である。 この半硬性の詰め物の長さは、約12から24イン
チで、幅は約0.5から2インチ、奥行きは約1から12インチである。この半硬性の詰め物の
寸法は痛みの緩和や姿勢の矯正など使用者のニーズに合わせて変更することができる。こ
の派生として、楕円形やテーパー状などの様々な曲線の形状が含まれる。
【００１４】
この座席のクッションは、ストラップや取っ手を表面に取り付けることができ、また使用
者が快適に過ごせるようにそれらを表面ではなくエッジに取り付けることも可能である。
このようなストラップや取っ手は、 (i)座席と背もたれの向きを固定すること、 (ii)椅
子などの座る部位に座席のクッションをしっかりと固定すること、 (iii)座席のクッショ
ンの保管や持ち運び、または (iv) (i) から (iii)の組み合わせにおいて便利に使用でき
るように設置されるものである。
【００１５】
ある実施形態では、この携帯用の座席のクッションは圧力を緩和することで骨盤、腰部、
胸椎を支えて、姿勢を改善することができ、その一方で様々な形状やサイズの椅子や座席
に適合するようなクッションの形状を維持することができ、また特殊な形状やサイズの座
席でも椅子や座席に固定するための特別な処置を必要としない。
【００１６】
本開示に基づく座席のクッション 100 の一例（これに限定するものではない）が図1Aに
示されている。この座席のクッション 100 は、座席部分 101 と背もたれ部分102が含ま
れ、エッジ103でつながっている。座席部分 101 と背もたれ部分102はエッジの接続部分
で折り畳むことが可能である。座席部分 101 は上部表面 111 とその反対側に椅子または
座席の表面と接する下部表面 121 （図1Aでは見えていない）がある。上部表面 111と下
部表面 121は同じ素材で形成することも、違う素材で形成することも可能である。例えば
、下部表面には滑らないゴム製のものを使用して、上部表面には通気性と快適さを実現す
るための柔らかい素材を使うことも可能である。座席部分 101 はカバーの部分 150と、
カバーの中に設置されるインフレータブルブレダーやフォームの詰め物（図には示してい
ない）を含む。カバー部分は開閉部分があり（図には示していない）、座席部分のインフ
レータブルブレダーやフォームの詰め物を任意に出し入れすることができる。
【００１７】
背もたれの部分 102には前面 104があり、そこにはインフレータブルブレダーやフォーム
の詰め物が入る（図1Aでは見えていない）。 前面 104や上部表面 111を形成するカバー
は、同じ素材で形成することも、違う素材で形成することも可能である。 図1Aで示す通
り、背もたれ部分には幅の広いベースの部分 125と、中央の狭くなっている部分 127があ
り、この狭くなっている部分が広くなっているベースの部分に向かって伸びている。ある
実施形態では、この中央の部分はベースの部分と同じ幅のものもある。別の実施形態では
、この中央とベースの部分は様々な形やサイズが存在する。
【００１８】
図1Bで示すように、背もたれの部分 102には、背もたれの部分 102の中に半硬性の詰め物
200 を含む。背もたれの部分 102は、背もたれの部分 102の中にアクセスするための開
口部 112 がある。 半硬性の詰め物 200は、この開口部 112から出し入れされる。半硬性
の詰め物 200には、任意に場所を変更できる椎骨を支える節201がある。図1Bにはこの二
つの体を支える節が示されている。もっとも、椎骨を支える節201の数は半硬性の詰め物 
200の適した位置に設置するため、任意の数で構わない。
【００１９】
図2A-2B は、半硬性の詰め物 200の実施形態を異なる視点から示したものである。半硬性
の詰め物 200は近位端 202 から遠位端 203まで伸びる細長い形状になっている。この図
の実施形態では、2つのる椎骨を支える節201が半硬性の詰め物 200の前面に設置されてい
る。別の実施形態では、追加の体を支える節が近位端 202 と遠位端 203の間のスペース
に設置されている。望ましい実施形態では、近位端 202 と遠位端 203の間の長さはおよ
そ12インチから24インチである。または近位端 202 と遠位端 203の軸方向に伸びる半硬
性の詰め物 200の幅0.5インチから2インチである。
【００２０】
図2C は、椎骨を支える節401のある球状の半硬性の詰め物200の実施形態を示したもので
ある。この節は球状の形状であり、上部表面 411とその反対の下部表面 421 がある。
【００２１】
図2D は、半硬性の詰め物 500 が近位端 502 から遠位端503までテーパー状になっている
ものの実施形態を示したものである。
【００２２】
上記で述べたのように、半硬性の詰め物の代わりに、 背もたれの部分の中央付近に椎骨
を支える複数の気泡が垂直に設置され、その各気泡の圧力を個別に調節することができる
ものから構成される、インフレータブルブレダーなどを背骨を支えるものを使用すること
もできる。図3A-3Dは、そうした実施形態の一例を示したものである（これに限定するも
のではない）。
【００２３】
図3A-3C は、椎骨を支える複数の気泡 301 がメイン部分310に垂直に設置されたインフレ
ータブルブレダーを示したものである。メイン部分310にはマニホールド 302と弁 303が
含まれ、個々の椎骨を支える複数の気泡 301 の気圧をコントロールすることができるよ
うに構成されている。これにより、個々の椎骨を支える複数の気泡 301の固さを使用者に
応じて調節することが可能である。弁 303は、マニホールド 302と椎骨を支える複数の気
泡 301の空気の流量を調節する。メイン部分310は、さらに弁のカバープレート 305を含
む。これは弁が穴306にアクセスするためのものである。また、これは弁 303の一つとと
もに設置されており、使用者が任意に弁をへこませることができる。しかしながら、偶発
的に弁 303弁と接触したり、誤作動を防止するため、カバープレート 305は弁 303とずら
して設置される。
【００２４】
図3Bで示す実施形態は、マニホールド302に接続されている手動のエアポンプ 304 を示し
ている。 このポンプは、恒久的にマニホールドに接続させることも、脱着可能にするこ
ともできる。椎骨を支える複数の気泡 301 は、高分子材料（例、シリコーン、ポリウレ
タン、またはそれ以外のエラストマー）、またはそれ以外の適した素材で作られている。
メイン部分とマニホールドは当該技術分野で既知の、より剛性の高い熱可塑性材料で作る
ことができる。
【００２５】
図3D は、2つの弁303 を示したものである。ここでは左は開いた位置にあり、右は閉じた
位置にある。開いた位置にある場合、椎骨を支える複数の気泡 301と マニホールド302の
間で空気が通る。閉じた位置にある場合、椎骨を支える複数の気泡と マニホールドの間
の空気は遮断される。 弁を閉じた位置に傾かせるためにバネ（例、弦巻バネ）（ここで
は示していない）を使用することができる。
【００２６】
本明細書に記載の方法や装置の修正形や派生形については、前述の詳細な説明を読めば当
業者には明らかである。 そうした修正形や派生形についても、添付の特許請求の範囲内
に入ることを意図している。
【図１Ａ】
2022002681.tif 000003
【図１Ｂ】
2022002681.tif 000004
【図２】
2022002681.tif 000005
【図３ＡＢＣ】
2022002681.tif 000006
【図３Ｄ】
2022002681.tif 000007